(57)【要約】【課題】風や日射しに起因のストレスを軽減して植物の生育不良を抑制しながら、植物による景観を向上させるための垂直面緑化構造体及び垂直面緑化方法を提供する。【解決手段】屋上に設置された機械設備の周囲に、つる植物２５のつるを用いて緑化を行なう垂直面緑化構造体２０を設ける。この垂直面緑化構造体２０は、つる植物２５のつるが絡み付き、つる植物２５の配置面を規定するワイヤ２３を備える。垂直面緑化構造体２０は、ワイヤ２３の機械設備側（内側）に配置された第１保護板２１と、機械設備側とは反対側（外側）に配置された第２保護板２２とを備える。各保護板（２１，２２）は、つる植物２５が受ける風及び日射の一部を遮るための板部材であり、つる植物２５に対して非対称となるように交互に配置されている。【選択図】図２
2015023809.tif 000002
【特許請求の範囲】
【請求項１】
植物を垂直面上に配置して緑化を行なう垂直面緑化構造体であって、
前記植物を支持する植物支持部材と、
前記植物支持部材によって支持された植物の配置面の前面と後面に、間隔を空けて配置された複数の保護板とを備え、
前記前面の保護板と、前記後面の保護板とを、前記配置面に対して非対称に配置したことを特徴とする垂直面緑化構造体。
【請求項２】
前記前面の保護板と前記後面の保護板とを、交互に配置したことを特徴とする請求項１に記載の垂直面緑化構造体。
【請求項３】
前記植物はつる植物であり、
前記植物支持部材は、前記植物のつるを支持する第１支持部と、前記植物の根を支持する第２支持部とを備え、
前記第２支持部として、屋上緑化のための植栽基盤を用いたことを特徴とする請求項１又は２に記載の垂直面緑化構造体。
【請求項４】
前記植物を照らす照明器具を、前記保護板と前記植物の配置面との間に設けたこと特徴とする請求項１〜３のいずれか１項に記載の垂直面緑化構造体。
【請求項５】
前記保護板は、取付角度又は取付位置を変更できる調整機構を用いて設置されていることを特徴とする請求項１〜４のいずれか１項に記載の垂直面緑化構造体。
【請求項６】
前記保護板の少なくとも一部を、有孔折板によって構成したことを特徴とする請求項１〜５のいずれか１項に記載の垂直面緑化構造体。
【請求項７】
植物を垂直面上に配置して緑化を行なう垂直面緑化方法であって、
前記植物を支持する植物支持部材を設け、
前記植物支持部材によって支持された植物の配置面の前面と後面に、間隔を空けて複数の保護板を配置するとともに、
前記前面の保護板と、前記後面の保護板とを、前記配置面に対して非対称に配置したことを特徴とする垂直面緑化方法。
【発明の詳細な説明】
【技術分野】
【０００１】
本発明は、構造物の垂直面等において、植物を用いて緑化を行なうための垂直面緑化構造体及び垂直面緑化方法に関する。
【背景技術】
【０００２】
従来、構造物の冷却や景観の向上を目的として、建物等の構造物の外壁面を植物で覆う壁面緑化が行われている。このような壁面緑化には、幾つかの方法がある。例えば、葉や茎等といった植物の本体部分を構造物の外壁面に貼り付ける方法（例えばパネル型）や、同本体部分を外壁面近傍に設けられたワイヤやネットなどに絡ませる方法（例えば登攀型）、あるいは、同本体部分を屋上等の上方から垂下する方法（例えば垂下型）などがある（例えば、特許文献１参照。）。
【先行技術文献】
【特許文献】
【０００３】
【特許文献１】特開２０００−３０００７９号公報
【発明の概要】
【発明が解決しようとする課題】
【０００４】
しかしながら、壁面緑化で用いられる植物は、風や強い日射しに晒されることになる。常時、風に晒された場合、植物は、葉や茎等が揺れることによる擦れや、水分の蒸発による乾燥に起因したストレスを受ける。また、強い日射しに晒された場合にも、高温や乾燥に起因したストレスを受ける。このように、風や日射しによるストレスは、植物における生育不良の原因になる。
【０００５】
ここで、これらのストレス軽減のため、風や日射しの一部を遮る保護部材を設けることが考えられる。しかしながら、単に保護部材を設けた場合には、植物による冷却や景観向上等の壁面緑化の目的を達成できないことがある。また、バルコニー等に設けられた壁面緑化に、配慮なく保護板を設置した場合には、景観の妨げとなる場合がある。
【０００６】
本発明は、上述の課題に鑑みてなされ、その目的は、風や日射しに起因のストレスを軽減して植物の生育不良を抑制しながら、植物による景観を向上させるための垂直面緑化構造体及び垂直面緑化方法を提供することにある。
【課題を解決するための手段】
【０００７】
上記課題を解決する垂直面緑化構造体は、植物を垂直面上に配置して緑化を行なう垂直面緑化構造体であって、前記植物を支持する植物支持部材と、前記植物支持部材によって支持された植物の配置面の前面と後面に、間隔を空けて配置された複数の保護板とを備え、前記前面の保護板と、前記後面の保護板とを、前記配置面に対して非対称に配置したこと要旨とする。
【０００８】
この構成によれば、植物の前面の保護板と後面の保護板とを非対称に配置するので、植物の前後において、風や日射しに起因するストレスを軽減することができるとともに、植物を前後から見ることができる。
【０００９】
上記垂直面緑化構造体について、前記前面の保護板と前記後面の保護板とを、交互に配置することが好ましい。この構成によれば、前後の保護板を交互に配置することにより、風の流通を更に妨げることができるので、風の通り抜けによる植物同士の摩擦や乾燥に起因したストレスを低減することができる。
【００１０】
上記垂直面緑化構造体について、前記植物はつる植物であり、前記植物支持部材は、前記植物のつるを支持する第１支持部と、前記植物の根を支持する第２支持部とを備え、前記第２支持部として、屋上緑化のための植栽基盤を用いることが好ましい。この構成によれば、植物は、プランターに植えられた場合に比べて、多量の土壌基盤の中で根を張ることができるので、よい生育状態を保つことが期待できる。
【００１１】
上記垂直面緑化構造体について、前記植物を照らす照明器具を、前記保護板と前記植物の配置面との間に設けることが好ましい。この構成によれば、照明器具により植物を照らすことができるので、景観向上、特に夜間の景観向上を図れる。
【００１２】
上記垂直面緑化構造体について、前記保護板は、取付角度又は取付位置を変更できる調整機構を用いて設置されていることが好ましい。この構成によれば、風の向きや日射しの角度等に応じて、保護板の取付角度や取付位置を変更することができるので、風や日射しの状況に応じて、保護板を有効に配置することができる。
【００１３】
上記垂直面緑化構造体について、前記保護板の少なくとも一部を、有孔折板によって構成することが好ましい。この構成によれば、有孔折板の孔が、空気の対流混合を促進し、熱を空気に伝えて逃がし易くするため、有孔折板自身の温度を下げることができる。従って、有孔折板の近傍に配置された植物周囲の温度を下げることができ、植物の日射しによるストレスを更に軽減することができる。
【発明の効果】
【００１４】
本発明によれば、風や日射しに起因のストレスを軽減して植物の生育不良を抑制しながら、植物による景観を向上させることができる。
【図面の簡単な説明】
【００１５】
【図１】第１実施形態の垂直面緑化構造体を適用したパーティションの外観斜視図。
【図２】第１実施形態における垂直面緑化構造体を説明する説明図であって、（ａ）は垂直面緑化構造体の正面図、（ｂ）は要部の断面右側面図。
【図３】垂直面緑化構造体の保護板に用いられる有孔折板の斜視図。
【図４】第２実施形態における垂直面緑化構造体を説明する説明図であって、（ａ）は垂直面緑化構造体の上面図、（ｂ）は正面図。
【図５】変更例の垂直面緑化構造体を説明する説明図。
【図６】変更例の垂直面緑化構造体を説明する説明図。
【図７】変更例の垂直面緑化構造体を説明する説明図。
【発明を実施するための形態】
【００１６】
（第１の実施形態）
以下、図１〜図３に従って、本発明を具体化した第１の実施形態を説明する。本実施形態では、建物の屋上に設置されている機械設備の目隠し（パーティション）として、垂直面緑化構造体を設ける場合を想定する。また、本実施形態では、つる植物による登攀法により緑化を行なう。
図１は、機械設備１１の周囲を囲むパーティションの斜視図である。図１に示すように、機械設備１１を取り囲むパーティションとして垂直面緑化構造体２０を用いている。この垂直面緑化構造体２０は、基礎３０上に設置されたフレームによって支持されている。
【００１７】
図２（ａ）及び図２（ｂ）は、それぞれ垂直面緑化構造体２０の要部の正面図及び要部の断面側面図である。垂直面緑化構造体２０は、つる植物２５のつるを用いて緑化を行なう。本実施形態では、プランター２６に育成されたつる植物２５を用いる。そして、垂直面緑化構造体２０は、このつる植物２５のつるが絡み付き、つる植物２５の配置面を規定するワイヤ２３を備える。本実施形態では、ワイヤ２３及びプランター２６が、つる植物２５を支持する植物支持部材として機能する。なお、ワイヤ２３がつる植物２５のつるを支持する第１支持部、プランター２６がつる植物の根を支持する第２支持部に対応する。
【００１８】
更に、垂直面緑化構造体２０は、第１保護板２１と第２保護板２２とを備えている。この第１保護板２１は、機械設備１１側（内側）に配置され、第２保護板２２は、機械設備１１側とは反対側（外側）に配置されている。各保護板（２１，２２）は、つる植物２５が受ける風及び日射の一部を遮るための板部材である。
【００１９】
各保護板（２１，２２）は、横長となるように垂直方向に並んで配置される。この場合、各保護板（２１，２２）の板長方向は水平方向に、各保護板（２１，２２）の板幅方向は垂直方向に向けられて配置される。
【００２０】
図１に示すように、機械設備１１の周囲を囲むように基礎３０が配置されている。各基礎３０には、第１保護板２１、第２保護板２２及びワイヤ２３を支持するためのフレームが立てられている。このフレームは、基礎フレーム３１、下部フレーム３３、上部フレーム３４及び縦フレーム３５から構成されている。基礎フレーム３１は、基礎３０に、垂直方向に延在するように固定されている。この各基礎フレーム３１間には、下部フレーム３３及び上部フレーム３４が水平方向に架け渡されており、下部フレーム３３の端部及び上部フレーム３４の端部がボルト止め等で固定されている。
下部フレーム３３及び上部フレーム３４には、縦フレーム３５の端部が、ボルト止め等で固定されている。下部フレーム３３は、基礎フレーム３１の内側、外側に、分離して並べられた２本の鉄骨からなる。また、上部フレーム３４は、基礎フレーム３１の内側、外側に、密着して並べられた２本の鉄骨からなる。
【００２１】
図２（ａ）に示すように、各縦フレーム３５は、下部フレーム３３及び上部フレーム３４に、垂直に架け渡されてボルト止め等で固定されている。そして、下部フレーム３３の下方に、基礎３０間にプランター２６を設置する。
図２（ｂ）に示すように、下部フレーム３３及び上部フレーム３４に対して、内側と外側とに縦フレーム３５が設けられている。本実施形態では、内側と外側の縦フレーム３５間は所定間隔Ｄ１で離間して配置される。この所定間隔Ｄ１は、プランター２６の幅よりも狭く、プランター２６上方に下部フレーム３３を配置できるようにしている。そして、この所定間隔Ｄ１において、つる植物２５を育成できる幅に設定されている。なお、内側、外側の各上部フレーム３４は、所定間隔Ｄ１の約半分の幅で構成されている。
【００２２】
図２（ｂ）に示すように、そして、内側と外側の縦フレーム３５の間には、格子状のワイヤ２３が配置されている。このワイヤ２３は、内側及び外側の上部フレーム３４によって挟持されており、地面よりも所定位置Ｈ１まで垂下するように配置されている。本実施形態では、この所定位置Ｈ１は、プランター２６の上面部よりも高い位置とする。
【００２３】
更に、内側の縦フレーム３５には、第１保護板２１が取り付けられている。また、外側の縦フレーム３５には、第２保護板２２が取り付けられている。第１保護板２１と第２保護板２２とは、ワイヤ２３が設けられた面（配置面）に対して非対称となるように、交互に配置されている。本実施形態では、第１保護板２１の上端（又は下端）の高さ位置と、隣接する第２保護板２２の下端（又は上端）が配置された高さとが、上下方向において所定間隔Ｇ（例えば数ｃｍ）となるように配置する。この隙間の所定間隔Ｇを、例えば３０ｍｍ〜保護板（２１，２２）の板幅（板幅方向の寸法）程度の範囲から選択することができる。
【００２４】
図３に示すように、本実施形態では、各保護板（２１，２２）として有孔折板５０を用いる。この有孔折板５０は、溶融亜鉛メッキ鋼板によって構成されている。有孔折板５０は、板長方向に同じ断面形状をした長尺物である。
【００２５】
有孔折板５０は、上縁部５１及び下縁部５２を有し、中央部５５が外側に張り出す台形形状をした断面山型形状をしている。中央部５５は、頂部５５ｐ、斜面部分５５ｋからなる山型形状をしていることで、有孔折板５０の断面二次モーメントが向上する。これにより、板面の法線方向から作用する風に対するための曲げ剛性を高めることができる。
【００２６】
更に、本実施形態における有孔折板５０の全面には、円形状の孔５０ｈが、複数、形成されている。各孔５０ｈは、それぞれ板厚方向に貫通して形成されている。具体的には、有孔折板５０の上縁部５１及び下縁部５２には、複数の孔５０ｈが、板長方向に一列に並んで形成されている。また、中央部５５の頂部５５ｐにも、複数の孔５０ｈが、板長方向に一列に並んで形成されている。更に、中央部５５の各斜面部分５５ｋにも、それぞれ孔５０ｈが形成されている。このような構成をした本実施形態の有孔折板５０においては、開孔率（有孔折板５０の板面積に対する全孔の開口面積の割合）として、２５〜５０％を用いることができる。
【００２７】
そして、図２に示すように、下部フレーム３３の下方に配置したプランター２６には、つる植物２５を植える。このつる植物２５として、ヘデラやテイカカズラ等を用いる。この場合、プランター２６には、生育が異なる複数のつる植物２５を混合して植えておくことが好ましい。
【００２８】
次に、上記のように構成された垂直面緑化構造体２０の設置方法について説明する。
まず、垂直面緑化構造体２０を設ける位置に、屋上の機械設備の周辺に基礎３０を設置する。次に、基礎３０の上に基礎フレーム３１を固定する。更に、この基礎フレーム３１の内側及び外側のそれぞれに下部フレーム３３を固定する。更に、基礎フレーム３１の上部に、ワイヤ２３を挟持させた上部フレーム３４を固定する。
【００２９】
次に、ワイヤ２３が挟み込まれた上部フレーム３４を基礎フレーム３１の上部に固定する。この場合、ワイヤ２３は、プランター２６の上部近傍まで垂下した状態になる。そして、下部フレーム３３及び上部フレーム３４に各縦フレーム３５を固定する。
次に、機械設備側の縦フレーム３５の所定位置に、第１保護板２１（有孔折板５０）を取り付ける。更に、機械設備側とは反対側の縦フレーム３５の所定位置に、第２保護板２２（有孔折板５０）を取り付ける。そして、下部フレーム３３の下方の基礎３０間に、つる植物２５が植えられたプランター２６を一列に配置する。この状態で、プランター２６のつる植物２５を生育することにより、垂直面緑化構造体２０において、つる植物２５による緑化が行われる。
【００３０】
次に、この垂直面緑化構造体２０の作用について説明する。
昼間においては、垂直面緑化構造体２０に配置されているつる植物２５に対しても日光が照射される。この場合、つる植物２５の外側に配置されている第２保護板２２によって、直接的な日射しを部分的に遮るとともに、第１保護板２１によって、反射光を含めた天日による明るさを調整する。これにより、つる植物２５における日射しに起因するストレスを軽減することができる。
【００３１】
また、風が吹いている場合、この風の一部が、垂直面緑化構造体２０の第１及び第２保護板２１，２２によって遮られる。この場合、つる植物２５の両側に保護板（２１，２２）が配置されているため、片側にのみ保護板を設けた場合に比べて、風の通り抜けが規制される。その結果、植物の葉からの蒸発産量を抑える等、風に起因するストレスを軽減することができる。
【００３２】
本実施形態によれば、以下のような効果を得ることができる。
（１）本実施形態の垂直面緑化構造体２０は、緑化に用いるつる植物２５を支持するワイヤ２３の前後に、風及び日射しの一部を遮る第１及び第２保護板２１，２２を交互に配置する。これにより、つる植物２５の前後において、風や日射しに起因するストレスを軽減することができるとともに、つる植物２５を前後から見ることができる。更に、第１及び第２保護板２１，２２を交互に配置することにより、風の流通断面積を小さくすることができるため、風の通り抜けによる植物同士の摩擦や乾燥に起因したストレスを低減することができる。
【００３３】
（２）本実施形態の垂直面緑化構造体２０の第１及び第２保護板２１，２２は、所定間隔Ｇの隙間をおいて配置されている。この隙間を介して、垂直面緑化構造体２０の向こう側を見ることができ、開放感等の景観向上を図ることができる。
【００３４】
（３）本実施形態の第１及び第２保護板２１，２２は、有孔折板５０で構成されている。これにより、有孔折板５０の孔５０ｈが、空気の対流混合を促進し、熱を空気に伝えて逃がし易くするため、有孔折板５０自身の温度を下げることができる。従って、有孔折板５０の近傍に配置されたつる植物２５周囲の温度を下げることができ、つる植物２５の日射しによるストレスを更に軽減することができる。また、有孔折板５０の孔５０ｈを介しても、垂直面緑化構造体２０の向こう側を見ることができるので、景観をいっそう確保することができる。
【００３５】
（第２の実施形態）
次に、図４に従って、本発明を具体化した第２の実施形態を説明する。本実施形態においては、第１及び第２保護板２１，２２を縦長に配置するとともに、つる植物２５をプランター２６の代わりに屋上緑化の植栽基盤に植えるように変更した構成であり、同様の部分については同一の符号を付し、その詳細な説明は省略する。また、本実施形態では、屋上に設置されたフェンスとして、垂直面緑化構造体２０を用いる場合について説明する。
【００３６】
図４（ａ）及び図４（ｂ）は、それぞれ本実施形態における垂直面緑化構造体２０の要部の上面図及び正面図である。
本実施形態においては、建物の屋上に、植栽基盤１５を敷き詰める。そして、屋上の周縁には、図４（ｂ）に示す基礎３０を配置する。そして、基礎３０の上には、上記実施形態と同様にフレームが設けられている。基礎３０の内側には、植栽基盤１５が配置されている。
【００３７】
上記第１実施形態と同様に、フレームは、基礎フレーム３１、下部フレーム３３及び上部フレーム３４を備えている。また、本実施形態では、第１実施形態と異なり、下部フレーム３３及び上部フレーム３４の間には、縦フレーム３５は設けられていない。
【００３８】
また、上記第１実施形態と同様に、つる植物２５のつるを支持するワイヤ２３が、上部フレーム３４間において挟持されており、地面の近傍まで垂下するように配置されている。本実施形態では、ワイヤ２３及び植栽基盤１５が、つる植物２５を支持する植物支持部材として機能する。なお、ワイヤ２３がつる植物２５のつるを支持する第１支持部、植栽基盤１５がつる植物の根を支持する第２支持部に対応する。
【００３９】
本実施形態では、各保護板（２１，２２）は、上端部及び下端部が、下部フレーム３３及び上部フレーム３４にそれぞれ固定されている。本実施形態では、第１及び第２保護板２１，２２は、上から見て、ワイヤ２３に対して非対称となるように、２枚連続して配置されている部分がある。本実施形態においても、第１保護板２１と第２保護板２２とは、横方向において所定間隔（例えば数ｃｍ）の隙間をおいて配置されている。また、本実施形態における各保護板（２１，２２）は、上記実施形態と同様に、図３に示す有孔折板５０を用いている。
【００４０】
次に、本実施形態における垂直面緑化構造体２０の設置方法について説明する。
本実施形態では、屋上の周縁部に所定間隔をおいて複数の基礎３０を設置する。そして、垂直面緑化構造体２０を行なう基礎３０の近傍につる植物２５を植えておく。
【００４１】
次に、基礎３０に基礎フレーム３１を立てて固定する。更に、この基礎フレーム３１の内側及び外側のそれぞれに下部フレーム３３を固定する。次に、ワイヤ２３が挟み込まれた上部フレーム３４を基礎フレーム３１の上部に固定する。そして、下部フレーム３３及び上部フレーム３４の所定位置に、第１保護板２１及び第２保護板２２を取り付ける。
【００４２】
また、本実施形態における垂直面緑化構造体２０の作用は、上記実施形態と同様である。ここで、この構成における垂直面緑化構造体２０を用いて、風速の低減効果について測定した結果を表１、表２に示す。ここでは、各保護板（２１，２２）には、開孔率が約２７％の有孔折板を用いた。表１は、風速等級別の平均風速（単位ｍ／ｓ）を示し、表２は、風速等級別平均風速比（保護板（２１，２２）を設置しなかった場合に対する比率）を示す。ここで、（北）又は（南）とは、保護板（２１，２２）である有孔折板５０が開口している方角を示している。
【００４３】
【表１】
2015023809.tif 000003
【００４４】
【表２】
2015023809.tif 000004
【００４５】
表２に示すように、風速が高くなるにつれて風速比が小さくなっており、風速は有孔折板５０の効果によって、２７〜４４％低減していることがわかる。
【００４６】
また、この構成における垂直面緑化構造体２０を用いて、日積算日射量の低減効果について測定した結果（単位はＷｈ／ｍ２・日）を表３に示す。この測定は、２０１３年の５月の連続する３日（Ａ日、Ｂ日及びＣ日）で測定を行なった。
【００４７】
【表３】
2015023809.tif 000005
【００４８】
この表３に示すように、保護板（２１，２２）によって、日射量は６４〜６６％に低減している。通常、垂直面緑化構造体２０に用いられるつる植物２５においては、日射量を６５％程度に低下させた環境においても、生育が良好であることが確認されている。従って、上述の垂直面緑化構造体２０の日射量が適切になっていることがわかる。
【００４９】
本実施形態によれば、上記（１）〜（３）と同様な効果に加えて、以下の効果を得ることができる。
（４）本実施形態においては、屋上には、植栽基盤１５が配置されている。そして、緑化を行なうために用いるつる植物２５は、この植栽基盤１５に植えられている。これにより、つる植物２５は、プランター２６に植えられた場合に比べて、多量の土壌基盤の中で根を張ることができるので、よい生育状態を保つことが期待できる。
【００５０】
（５）本実施形態においては、第１及び第２保護板２１，２２は、下部フレーム３３及び上部フレーム３４に架け渡すように配置される。これにより、第１及び第２保護板２１，２２を架け渡すための縦フレーム３５を省略できるので、垂直面緑化構造体２０をより簡素化することができる。
【００５１】
また、上記各実施形態は、以下のように変更してもよい。
・  上記各実施形態においては、垂直面緑化構造体２０は、ワイヤ２３と、このワイヤ２３の前後にそれぞれ配置された第１保護板２１及び第２保護板２２とを備えている。垂直面緑化構造体２０に、更に、つる植物２５に対して光を照射する照明器具を設けてもよい。例えば、図５に示すように、第１保護板２１及び第２保護板２２として用いた有孔折板５０において、断面山型形状の部分に照明器具６０を配置してもよい。また、プランター２６の上面部に照明器具６０を配置して、つる植物２５全体に対して光を照射してもよい。ここで、垂直面緑化構造体２０が主に外側から眺められる場合には、外側となる第２保護板２２に照明器具６０を設けると、つる植物２５を綺麗にライトアップすることができる。なお、図５において、垂直方向に並ぶ各有孔折板５０に照明器具６０を設けているが、照明器具の配置位置や数はこれに限定されることなく、例えば複数おきに設けてもよい。
【００５２】
更に、垂直面緑化構造体２０にミストノズルや保水材を設けてもよい。ミストノズルに水を供給し、植物に対してミストを噴霧することができる。また、保水材において水を循環させることにより、植物の周囲温度を冷却することができる。
【００５３】
・  上記各実施形態においては、垂直面緑化構造体２０は、つる植物２５を支持する格子状のワイヤ２３を設けた。ワイヤ２３の形状は、格子状に限定されず、様々な形状を用いることができる。更に、つる植物２５を支持する部材は、ワイヤ２３に限られず、可撓性がある網（ネット）等を用いてもよい。
【００５４】
・  上記各実施形態の垂直面緑化構造体２０は、つる植物２５を用いた登攀法によって緑化を行なう場合について説明したが、緑化方法はこれに限定されるものではない。例えば「垂下法」等の他の方法によっても適用可能である。図６に示すように、建物の上部から植物７５を垂下させる。具体的には、小屋の上部にプランター７６を配置し、プランター７６内に植えられた植物７５を垂下させる。この場合、植物７５の内側に第１保護板２１を配置し、外側に第２保護板２２を配置する。そして、第１保護板２１及び第２保護板２２を交互となるように非対称に配置する。
更に、下部フレーム３３、上部フレーム３４間に、水平方向に、植栽ポットを載置させる板や土壌保持部を設けた構成（いわゆる植栽基盤型ルーバー）を用いることも可能である。この場合には、ルーバー毎に植物を配置できる。
【００５５】
・  上記各実施形態の垂直面緑化構造体２０の第１及び第２保護板２１，２２として、同じ有孔折板５０を用いた。有孔折板５０の形状は、上述した断面山型形状に限定されない。例えば、板幅方向に、複数の山型形状を設けた形状の有孔折板を用いることが可能である。また、第１保護板２１及び第２保護板２２が配置される方向に、有孔折板及び有孔平板を重ね合わせた構造の板でもよい。また、縦フレーム３５の表裏に有孔折板５０を設け、第１保護板２１及び第２保護板２２が配置される方向に、有孔折板を、所定間隔をおいて複数設けた構成にしてもよい。更に、有孔折板５０の孔の形状、孔の配置パターンや開口率等も、上記各実施形態に限定されない。また、第１保護板２１及び第２保護板２２において、それぞれ、異なる開口率の有孔折板５０を併用してもよい。更に、有孔折板５０の材質は、溶融亜鉛メッキ鋼板に限定されるものではなく、鋼やアルミニウム等の金属や木、樹脂等を用いることが可能である。
【００５６】
更に、垂直面緑化構造体２０の第１保護板２１及び第２保護板２２として、有孔折板５０の代わりに、無孔折板、有孔平板及び無孔平板等を用いてもよい。ここで、無孔折板とは、板厚方向に貫通する孔を有さない山型形状板である。有孔平板とは、板厚方向に貫通する孔を有した平板である。無孔平板とは、板厚方向に貫通する孔を有しない平板である。また、これらを組み合わせて、第１保護板２１及び第２保護板２２として用いることも可能である。
【００５７】
・  上記第１実施形態の垂直面緑化構造体２０は、第１保護板２１及び第２保護板２２を交互に設けた。上記第２実施形態の垂直面緑化構造体２０は、第１保護板２１及び第２保護板２２の連続配置枚数を変更して設けた。第１保護板２１及び第２保護板２２の配置は、植物が配置された面に対して非対称であれば、多様な配置パターンを用いることができる。
【００５８】
また、上記各実施形態では、第１保護板２１及び第２保護板２２の間は、所定間隔Ｇで配置したが、この間隔は任意に設定することができる。例えば、この隙間をなくした配置や、第１保護板２１と第２保護板２２との端部が重なり合う配置を用いることが可能である。
【００５９】
・  上記各実施形態の垂直面緑化構造体２０は、屋上に設置される機械設備１１のパーティションやフェンスを、つる植物２５によって緑化するために用いた。垂直面緑化構造体２０を用いる場所は、屋上に限定されず、例えば、ベランダ等であってもよい。
【００６０】
この場合には、図７に示すように、ベランダ８０の手すり８０ａに第２保護板８２を設ける。そして、ベランダ８０の内側にプランター８６に植えられた植物８５を配置し、この植物８５の内側に第１保護板８１を配置する。
【００６１】
・  上記第１実施形態の垂直面緑化構造体２０は、第１保護板２１及び第２保護板２２を、縦フレーム３５に固定した。更に、上記第２実施形態の垂直面緑化構造体２０は、第１保護板２１及び第２保護板２２を、下部フレーム３３及び上部フレーム３４に固定した。垂直面緑化構造体２０に、第１保護板２１及び第２保護板２２の取付角度を変更できる角度調整機構や取付位置を変更できる位置調整機構を設けてもよい。これにより、垂直面緑化構造体２０の配置場所の日射方向や風向きによって、第１保護板２１及び第２保護板２２の配置を調整することできる。
【００６２】
また、第１保護板２１及び第２保護板２２の配置を、状況に応じて変更できるようにしてもよい。このために、垂直面緑化構造体２０に日射方向や風向きを検知するセンサを設ける。そして、このセンサを角度調整機構や位置調整機構に接続する。そして、このセンサによる日射方向や風向きの検出値に応じて、角度調整機構や位置調整機構は、第１保護板２１及び第２保護板２２の配置（角度や取付位置）を変更する。この場合、角度調整機構や位置調整機構は、日射量が適切になるような制御や、風力を低減する方向に制御する。
【符号の説明】
【００６３】
１１…機械設備、１５…植栽基盤、２０…垂直面緑化構造体、２１…第１保護板、２２，８２…第２保護板、２３…ワイヤ、２５…つる植物、２６，７６，８６…プランター、３０…基礎、３１…基礎フレーム、３３…下部フレーム、３４…上部フレーム、３５…縦フレーム、５０…有孔折板、５０ｈ…孔、５１…上縁部、５２…下縁部、５５…中央部、５５ｋ…斜面部分、５５ｐ…頂部、６０…照明器具、７５，８５…植物、８０…ベランダ。
【図１】
2015023809.tif 000006
【図２】
2015023809.tif 000007
【図３】
2015023809.tif 000008
【図４】
2015023809.tif 000009
【図５】
2015023809.tif 000010
【図６】
2015023809.tif 000011
【図７】
2015023809.tif 000012